(57)【要約】【課題】既存の扉に装着することによって、扉の全周の渡って遮蔽が可能となる遮蔽装置を提供する。【解決手段】遮蔽装置は、前記扉のそれぞれに辺に装着され、前記扉と開口部との間を辺に沿って遮蔽する辺遮蔽プレート、該辺遮蔽プレートを前記扉の閉扉時に突出させ且つ前記扉の開扉時に前記辺遮蔽プレートを収納する突出収納機構を少なくとも具備する辺遮蔽装置と、該辺遮蔽装置の両端に配され、隣合う辺遮蔽装置を連動させる連動機構と、前記扉のそれぞれの角部に装着され、隣合う辺遮蔽プレートと連動して移動する角遮蔽プレートと、前記辺遮蔽装置の一つに設けられ、前記連動機構を介してそれぞれの辺遮蔽装置の突出収納機構を作動させて、前記辺遮蔽プレートを突出させるトリガー装置と、前記辺遮蔽装置の一つに設けられ、前記連動機構を介してそれぞれの辺遮蔽装置の突出収納機構を作動させて、前記辺遮蔽プレートを収納させる収納装置とによって少なくとも構成される。【選択図】　　　図２
2004131929.tif 000002
【特許請求の範囲】
【請求項１】
開口部を開閉するために設けられた扉の周辺に設けられ、前記扉の閉扉時に、前記扉と開口部の周縁との間に生じる隙間を遮蔽する遮蔽装置であって、
前記扉のそれぞれの辺に装着され、前記扉と開口部との間を辺に沿って遮蔽する辺遮蔽プレート、該辺遮蔽プレートを前記扉の閉扉時に突出させ且つ前記扉の開扉時に前記辺遮蔽プレートを収納する突出収納機構、及び両端に配され、隣合う辺遮蔽装置を連動させる連動機構を少なくとも具備する辺遮蔽装置と、
前記扉のそれぞれの角部に装着され、隣合う辺遮蔽プレートと連動して移動する角遮蔽プレートと、
前記辺遮蔽装置の一つに設けられ、前記連動機構を介してそれぞれの辺遮蔽装置の突出収納機構を作動させて、前記辺遮蔽プレートを突出させる突出装置と、
前記辺遮蔽装置の一つに設けられ、前記連動機構を介してそれぞれの辺遮蔽装置の突出収納機構を作動させて、前記辺遮蔽プレートを収納させる収納装置とによって少なくとも構成されることを特徴とする遮蔽装置。
【請求項２】
前記収納装置の作動による力を蓄積し、前記突出装置によって作動する突出収納機構の作動力とする付勢力蓄積機構が、少なくとも一つの辺遮蔽装置に設けられることを特徴とする請求項１記載の遮蔽装置。
【請求項３】
前記辺遮蔽装置は、前記扉の側辺に形成された溝部に直接装着されることを特徴とする請求項１又は２記載の遮蔽装置。
【請求項４】
前記辺遮蔽装置は、前記扉の側辺に固着される鞘部に装着されることを特徴とする請求項１又は２記載の遮蔽装置。
【請求項５】
前記突出収納機構は、前記連動手段によって移動するラックと、該ラックの移動によって回転し、前記辺遮蔽プレートを移動させる少なくとも一つのギアとによって構成されることを特徴とする請求項１〜４のいずれか一つに記載の遮蔽装置。
【請求項６】
前記突出収納機構は、前記連動手段によって移動するカムプレートと、該カムプレートに形成されたカム溝に噛合して前記辺遮蔽プレートを移動させるピンとによって構成されることを特徴とする請求項１〜４のいずれか一つに記載の遮蔽装置。
【請求項７】
前記突出装置及び収納装置は、前記突出収納機構を作動させる電動モータであることを特徴とする請求項６記載の遮蔽装置。
【発明の詳細な説明】
【０００１】
【発明が属する技術分野】
この発明は、通路、窓、出入口等の開口部を閉鎖する扉に周縁に装着され、扉と開口部との間に生じる隙間を遮蔽する遮蔽装置に関する。
【０００２】
【従来の技術】
特許文献１に開示されるドア装置の密閉構造は、ドア装置における扉の上下の隙間を密閉するためのもので、ドア装置の扉の上貫又は下貫の長手方向に沿って延伸するように嵌着溝を形成し、この嵌着溝内に鞘部材と、内端がその鞘部材内に装着され、外端が装着部材から露出する密閉プレートと、密閉プレートの外端を付勢力によってドアの額縁のトランサム又は敷居に対して弾性的に接触させる弾性部材とによって構成されるものである。
【０００３】
このような密閉構造は、扉の全周にわたって開口部との間を密閉することが不可能であり、また弾性部材による弾性的接触の場合、扉の閉扉方向に対して反対側に傾斜することから、閉扉方向への空気流に対しては遮蔽性能が高く、開扉方向への空気流に対しては順方向となるため遮蔽性能が低いという問題点を有する。
【０００４】
このため、本出願人は、特許文献２において、開閉扉部の閉扉に伴って四方に飛び出す閉鎖プレートと、閉鎖プレートと連動して飛び出すカバープレートを具備する全周遮蔽扉装置を開示した。
【０００５】
【特許文献１】
特開平９−４９３７６号公報
【特許文献２】
特開２００２−２１３１５５号公報
【０００６】
【発明が解決しようとする課題】
本出願人による全周遮蔽扉装置は、開閉扉部、閉鎖プレート、飛出し手段、レバーハンドル、収納手段及び前記閉鎖プレートが噛合する溝部を有する枠部とによって一体に構成されるものである。
【０００７】
本出願人による発明は、全周遮蔽扉装置自体として大変有益なものであるため、新たに設ける場合には何ら問題を生じないが、既存の扉等が存在する場合、既存の扉を撤去しなければならないという問題点が生じる。
【０００８】
このため、本発明は、既存の扉に装着することによって、扉の全周の渡って遮蔽が可能となる遮蔽装置を提供することにある。
【０００９】
【課題を解決するための手段】
したがって、この発明は、開口部を開閉するために設けられた扉の周辺に設けられ、前記扉の閉扉時に、前記扉と開口部の周縁との間に生じる隙間を遮蔽する遮蔽装置であって、前記扉のそれぞれの辺に装着され、前記扉と開口部との間を辺に沿って遮蔽する辺遮蔽プレート、該辺遮蔽プレートを前記扉の閉扉時に突出させ且つ前記扉の開扉時に前記辺遮蔽プレートを収納する突出収納機構、及び両端に配され、隣合う辺遮蔽装置を連動させる連動機構を少なくとも具備する辺遮蔽装置と、前記扉のそれぞれの角部に装着され、隣合う辺遮蔽プレートと連動して移動する角遮蔽プレートと、前記辺遮蔽装置の一つに設けられ、前記連動機構を介してそれぞれの辺遮蔽装置の突出収納機構を作動させて、前記辺遮蔽プレートを突出させる突出装置と、前記辺遮蔽装置の一つに設けられ、前記連動機構を介してそれぞれの辺遮蔽装置の突出収納機構を作動させて、前記辺遮蔽プレートを収納させる収納装置とによって少なくとも構成されることにある。
【００１０】
また、この発明は、さらに、前記収納装置の作動による力を蓄積し、前記突出装置によって作動する突出機構の作動力とする付勢力蓄積機構が、少なくとも一つの辺遮蔽装置に設けられることにある。
【００１１】
さらに、前記辺遮蔽装置は、前記扉の側辺に形成された溝部に直接装着されることが望ましく、また前記扉の側辺に固着される鞘部に装着されるものであっても良い。
【００１２】
さらにまた、前記突出収納機構は、前記連動手段によって移動するラックと、該ラックの移動によって回転し、前記辺遮蔽プレートを移動させる少なくとも一つのギアとによって構成されるものであっても良く、また、前記連動手段によって移動するカムプレートと、該カムプレートに形成されたカム溝に噛合して前記辺遮蔽プレートを移動させるピンとによって構成されるものであっても良い。
【００１３】
また、収納手段は、前記ラック又はカムプレートを移動させる把手部であり、突出手段は、把手部によって移動したラック又はカムプレートを元の位置に移動させる付勢手段と、該付勢手段を稼動させるトリガー機構であることが望ましい。
さらに、前記突出装置及び収納装置は、前記突出収納機構を作動させる電動モータであっても良いものである。
【００１４】
【発明の実施の形態】
以下、この発明の実施の形態について、図面により説明する。
【００１５】
図１及び図２は、本願発明の第１の実施の形態に係る遮蔽装置１が装着された全周遮蔽扉装置２が装着された扉部３を示すもので、図１は辺遮蔽プレート１１及び角遮蔽プレート１５が遮蔽装置１に収納された状態を示し、図２は辺遮蔽プレート１１及び角遮蔽プレート１５が遮蔽装置１から突出した状態を示すものである。
【００１６】
この実施の形態に係る前記全周遮蔽扉装置２は、例えば図３に示すように、通路４等の開口部５を開閉するためのもので、扉部３と、開口部５の周縁部８に形成された溝部６とによって構成されるもので、ヒンジ部７を支点として回動し、前記開口部５を開閉するようになっているものである。また、この発明においては、前記扉部３は、窓、扉等に設置された既存の開閉扉であり、この既存の扉に前記遮蔽装置１を設置することによって全周遮蔽が可能な全周遮蔽扉装置２を提供できることにある。
【００１７】
また、前記全周遮蔽扉装置２は、図３のＡで示す位置において、遮蔽装置１の遮蔽プレート１１が扉部３内に収納されており（図４（ａ））、図３のＢで示す開口部閉鎖位置に移動した場合、作動ピン１６Ａが押されて、遮蔽装置１の辺遮蔽プレート１１及び角遮蔽プレート１５が突出して、前記開口部周縁に形成された溝部６に噛合し、扉部３と周辺部８との間の空隙を遮蔽すると共に、扉自体にロックがかかるものである（図４（ｂ））。また、ドアノブ１７Ｂを操作することによって、前記辺遮蔽プレート１１及び角遮蔽プレート１５が遮蔽装置１に収納され、ロックが解除されて扉部３を回動させることが可能となるものである。
【００１８】
以上の構造の全周遮蔽扉装置２を得るために、遮蔽装置１は、前記扉部３と開口部５との間を辺３Ａ，３Ｂ，３Ｃ，３Ｄに沿って遮蔽する辺遮蔽プレート１１及びこの辺遮蔽プレート１１を前記扉部３の閉扉時に突出させ且つ前記扉部３の開扉時に前記辺遮蔽プレート１１を収納する突出収納機構１２を少なくとも具備する辺遮蔽装置１Ａ，１Ｂ，１Ｃ，１Ｄと、これら辺遮蔽装置１Ａ，１Ｂ，１Ｃ，１Ｄの両端に配され、隣合う辺遮蔽装置１Ａ，１Ｂ，１Ｃ，１Ｄを連動させる連動機構１４と、前記扉部３の４角に設けられ、隣合う辺遮蔽プレート１１と連動して移動する角遮蔽プレート１５と、前記辺遮蔽装置の一つ（１Ｄ）に設けられ、前記連動機構１４を介してそれぞれの辺遮蔽装置１Ａ，１Ｂ，１Ｃ，１Ｄの突出収納機構１２を作動させる突出装置１６と、前記辺遮蔽装置の一つ（１Ａ）に設けられ、前記連動機構１４を介してそれぞれの辺遮蔽装置１Ａ，１Ｂ，１Ｃ，１Ｄの突出収納機構１４を作動させて前記辺遮蔽プレート１１を突出収納機構１２内に収納するための収納装置１７と、前記辺遮蔽装置１Ａ，１Ｂに設けられ、前記収納装置１７の作動時の作動力を蓄積し、前記突出装置１６によって作動する突出収納機構１２の突出時の作動力とする付勢力蓄積機構１８とによって構成される。
【００１９】
第１の実施の形態に係る辺遮蔽装置１において、その基本構成は、辺遮蔽装置１Ｃ，１Ｄで示される。以下、この基本構成を、辺遮蔽装置１Ｃによって説明する。尚、辺遮蔽装置１Ｄは、辺遮蔽装置１Ｃと同様の構成である。
【００２０】
図５（ａ），（ｂ）で示すように、辺遮蔽装置１Ｃは、扉部３の上辺３Ｃに装着されるもので、突出収納装置１２は、両端部に位置する連結機構１４を構成する連結歯車１４Ａと噛合する第１の作動歯車１２Ａと、この第１の作動歯車１２Ａと噛合するラック１２Ｂと、このラック１２Ｂを介して作動する第２の作動歯車１２Ｃと、両側に位置する第２の作動歯車１２Ｃ同士を連結する一対の伝達歯車１２Ｄとによって構成され、前記第１及び第２の作動歯車１２Ａ，１２Ｃの側面に突出するピン１２Ｆが、前記辺遮蔽プレート１１に形成された作動溝１１Ａに噛合する。
【００２１】
これによって、図５（ａ）に示される扉部３の閉扉時において辺遮蔽装置１Ｂの突出装置１６が解除されると、付勢力蓄積機構１８によって、それぞれ辺遮蔽装置１Ａ，１Ｂ，１Ｃ，１Ｄのラック１２Ｂが外方に移動し、図面右側に位置する第１及び第２の作動歯車１２Ｂは時計方向に回動し、図面左側に位置する第１及び第２の作動歯車１２Ｂは反時計方向に回動する。これによって、前記ピン１２Ｆが扉部内側から外側に移動することにより、前記辺遮蔽プレート１１が扉部３から突出するものである。また、上述した前記作動歯車１２Ｂによる遮蔽プレート１１の突出メカニズムについては、図６（ａ），（ｂ）において示される。
【００２２】
また、図７で示されるように、角遮蔽プレート１５は、辺遮蔽プレート１１の両端部近傍に設けられた作動ピン１１Ｂが噛合する作動溝１５Ａを有し、これによって両側の辺遮蔽プレート１１が突出すると同時に角遮蔽プレート１５が突出するため、扉部３の角部と周縁５の角部の間の空隙の遮蔽を確実に行うことができるものである。
【００２３】
前記突出装置１６は、図８（ａ），（ｂ）で示すように、扉部３のヒンジ部７側側辺に装着される辺遮蔽装置１Ｂに設けられ、前記伝達歯車１２Ｄが回動して所定の位置に到達した場合に、図８（ａ）で示すように、作動ロッド１６Ａによってロックされるので、全ての辺遮蔽装置１Ａ，１Ｂ，１Ｃ，１Ｄの作動歯車１２Ａ，１２Ｃが辺遮蔽プレート１１を収納した状態で停止される。そして、図３で示すように、扉部３の閉扉時において、作動ロッド１６Ａが周縁部８により押された時に、前記ロックが解除され、付勢力蓄積機構１８による付勢力が開放させるので、伝達歯車１２Ｄが回転し、全ての辺遮蔽装置１Ａ，１Ｂ，１Ｃ，１Ｄの作動歯車１２Ａ，１２Ｃが回転して前記遮蔽プレート１１を突出させるものである。
【００２４】
前記収納装置１７は、前記返遮蔽装置１Ａの伝達歯車１２Ｄの一つに噛合する駆動歯車１７Ａと、この駆動歯車１７Ａに例えばラチェット機構を介して連結される把手部１７Ｂとによって構成される。このラチェット機構は、伝達歯車１２Ｄ側からの駆動力が伝達される駆動歯車１７Ａの回転力を把手部１７Ｂに伝達せず、把手部１７Ｂからの駆動力のみを駆動歯車１７Ａを介して伝達歯車１２Ｄに伝達するようにするために設けられるものである。これによって、収納装置１７において、把手部１７Ｂが操作され、駆動歯車１７Ａが回転すると、伝達歯車１２Ｄが回転し、作動歯車１２Ａ，１２Ｃが上述した辺遮蔽プレート１１を突出される方向と反対側に回転して辺遮蔽プレート１１を収納させると同時に、付勢力蓄積機構１８を構成する歯車１８Ａを回転させてラック１８Ｂを移動させ、一方のスプリング１８Ｃを伸張させると同時に他方のスプリング１８Ｃを縮小させて、遮蔽プレート１１を突出させるための駆動力を蓄積するものである。
【００２５】
また、以上の説明した辺遮蔽装置１Ａ，１Ｂ，１Ｃ，１Ｄは、その両端に位置する連結歯車１４Ａによって連結されるだけなので、通常の扉部３の各々の辺に辺遮蔽装置１Ａ，１Ｂ，１Ｃ，１Ｄを装着し、角遮蔽プレート１５をそれぞれの辺遮蔽プレート１１の両端部に装着するだけで容易に全周遮蔽扉装置２を構成できるという利点を有する。
【００２６】
図１０は、前記角遮蔽プレート１５Ａと辺遮蔽プレート１１との連結を、辺遮蔽プレート１１に設けられる複数のピン１１Ｃと、前記角遮蔽プレート１５に設けられ、前記ピン１１Ｃがそれぞれに噛合する複数の連結孔１５Ｂとによって行うようにした実施の形態を示すものである。これにより、角遮蔽プレート１５の安定した作動を確保できるという利点がある。
【００２７】
図１１は、辺遮蔽装置１Ａ，１Ｂ，１Ｃ，１Ｄを扉部３に装着する方法を示したもので、図１１（ａ）に示すものは、鞘部２０を設けて、その中に辺遮蔽装置１Ａ，１Ｂ，１Ｃ，１Ｄを収納し、それらを扉部３の周縁に装着するようにしたものである。この場合は、特に扉の周縁部分の強度が低い場合に有効である。また、扉部３の周縁にすでに鞘部に相当する部分がある場合には、図１１（ｂ）で示すように、骨格部２２を設けて、扉部３にすでにある鞘部に相当する部分に収納するようにすることができるものである。
【００２８】
図１２は、第２の実施の形態に係る辺遮蔽装置を示したものである。この実施の形態に係る辺遮蔽装置において、一対の連結歯車１１４Ａからなる直角連結歯車部１１４が４角に設けられ、これによって、各辺遮蔽装置間の駆動力を伝達するようになっている。各々の前記連結歯車１１４Ａは、突出収納機構１１２を構成するカムプレート部１１２Ｂのラック部１１２Ａに噛合するようになっており、前記カムプレート部１１２Ｂは、スプリング１１４Ｂによって中央方向に付勢される。また、このカムプレート部１１２Ｂの中央側には連結用ラック１１２Ｆが設けられ、伝達歯車１１２Ｄが噛合する。
【００２９】
前記カムプレート部１１２Ｂは、図１３で示すように、連結歯車１１４Ａと噛合するラック部１１２Ａ、伝達歯車１１２Ｄと噛合する連結用ラック１１２Ｆをその両端に有し、複数のガイド溝１１２Ｇ及び駆動カム溝１１２Ｃが形成されている。また、辺遮蔽プレート１１１の固定される駆動ピン１１１Ａは、前記駆動カム溝１１２Ｃに装着される。これによって、前記連結歯車１１４Ａが回転することによって、例えば、図１４（ａ），（ｂ）で示すように、カムプレート１１２Ｂが前記ガイド溝１１２Ｇに沿って移動し、前記駆動カム溝１１２Ｃに噛合した駆動ピン１１１Ａがカムプレート１１２Ｂの移動方向に対して垂直に移動するため、前記辺遮蔽プレート１１１が突出又は収納されるものである。尚、この実施の形態において、スプリング１１８は、カムプレート１１２Ｂの移動による付勢力を蓄積するための付勢力蓄積機構を構成する。
【００３０】
また、突出装置１１６は、図１２で示すように、前記カムプレート１１２Ｂの中央側に形成されたロック爪部１１２Ｈと、このロック爪部１１２Ｈに噛合する噛合片１１６Ｂを端部に有する作動ピン１１６Ａとによって構成される。これによって、前記カムプレート１１２Ｂが中央側に寄ってくる場合には、前記噛合片１１６Ｂがロック爪部１１２Ｈに噛合してカムプレート１１２Ｂがロックされ、作動ピン１１６Ａが押されることによって前記噛合片１１６Ｂが前記ロック爪部１１２Ｈから離脱してカムプレート１１２Ｂのロックが解除され、各カムプレート１１２Ｂが外方へ移動することによって辺遮蔽プレート１１１及び角遮蔽プレート１１５が突出するものである。
【００３１】
尚、図１３において、１１１Ｂは辺遮蔽プレート１１１に設けられたピンであり、１１５Ａは、前記辺遮蔽プレート１１５に設けられた噛合溝であり、この噛合溝１１５Ａに前記ピン１１１Ｂが噛合されることによって、角遮蔽プレート１１５が前記辺遮蔽プレート１１１と連動することができるものである。また、１１１Ｃは、角遮蔽プレート１１５のガイドピンであり、１１１Ｄはガイドピンが噛合されるガイド溝である。これらは、角遮蔽プレート１１５の動作を確実にするために設けられる。
【００３２】
また、図１５で示す第３の実施の形態に係る遮蔽装置は、第１の実施の形態に係る辺遮蔽装置の付勢力蓄積機構１８に代えて作動機構２００を設けたものである。この作動装置２００は、前述した突出装置１６及び収納装置１７を兼用するものであり、電動モータ２１０によって前述したラック１２Ｂを移動させるようになっている。具体的には、前記作動機構２００は、ラック１２Ｂと噛合する駆動ギア２１３と、この駆動ギア２１３を回転させるウォームギア２１４と、このウォームギア２１４を回転させる作動傘歯車２１５と、この作動傘歯車２１５を回転させる中間傘歯車２１６と、前記電動モータ２１０の駆動軸２１７に固定され、前記中間傘歯車２１６を回転させる駆動傘歯車２１８とによって構成される。
【００３３】
これによって、電動モータ２１０の回転方向を変えることによって、前記ラック１２Ｂの移動方向が変化するため、前記辺遮蔽プレート１１を突出又は収納することができるものである。尚、２１５’、２１６’、２１７’、２１８’は、前記ウォームギア２１４の他方側に設けられた作動傘歯車、中間傘歯車、駆動軸駆動傘歯車を示す。このため、電動モータ２１０は、ウォームギア２１４のいずれの側の位置にも取付可能となる。
【００３４】
また、前記中間傘歯車２１６には、外部動力端子２１９、２１９’が設けられ、例えば、電動ドリル、電動ドライバ、手動ドライバ等を差し込むことによって駆動可能とすることができるようになっている。特に、開閉の頻度が少ない場合などでは、特別に電動モータを設けなくても、外部からの動力により遮蔽装置１を作動させることが可能となるものである。
【００３５】
【発明の効果】
以上説明したように、この発明によれば、従来の扉の周縁に辺遮蔽装置を取り付け、さらに角遮蔽プレートを取り付けることによって、全周遮蔽扉装置を構成することができるので、防煙扉、防音扉を容易に且つ安価に形成することができる。また、同時に強固なロック機構を有する扉装置とすることができるので、防犯性も向上するものである。
【図面の簡単な説明】
【図１】本願発明の第１の実施の形態に係る全周遮蔽扉装置の遮蔽装置であって、辺遮蔽プレート及び角遮蔽プレートが収納された状態を示す説明図である。
【図２】本願発明の第１の実施の形態に係る全周遮蔽扉装置の遮蔽装置であって、辺遮蔽プレート及び角遮蔽プレートが突出された状態を示す説明図である。
【図３】全周遮蔽扉装置の作動状態を示した説明図である。
【図４】辺遮蔽プレートが空隙を遮蔽する状態を示す説明図であって、（ａ）は遮蔽前、（ｂ）は遮蔽後を示すものである。
【図５】辺遮蔽装置の基本構成を示す説明図であって、（ａ）は遮蔽前、（ｂ）は社へ以後の状態を示すものである。
【図６】作動歯車による辺遮蔽プレートの突出及び収納の状態を示した説明図であり、（ａ）は収納時、（ｂ）は突出時の状態を示したものである。
【図７】角遮蔽プレートを示した説明図である。
【図８】突出装置を示した説明図で、（ａ）は辺遮蔽プレートが収納された状態、（ｂ）は辺遮蔽プレートが突出した状態を示す説明図である。
【図９】収納装置を示した説明図で、（ａ）は辺遮蔽プレートが収納された状態、（ｂ）は辺遮蔽プレートが突出した状態を示す説明図である。
【図１０】角遮蔽プレートの別の実施の形態を示した説明図である。
【図１１】辺遮蔽装置であって、（ａ）は鞘部を有する場合、（ｂ）は鞘部を有さない場合の説明図である。
【図１２】第２の実施の形態に係る遮蔽装置を示した説明図である。
【図１３】第２の実施の形態に係る遮蔽装置のカムプレート、辺遮蔽プレート及び角遮蔽プレートの説明図である。
【図１４】カムプレートによる辺遮蔽プレートの動作を示した説明図で、（ａ）は辺遮蔽プレートの収納時、（ｂ）は突出時の状態を示したものである。
【図１５】（ａ）及び（ｂ）は、第３の実施の形態に係る突出収納機構の構成を示した説明図である。
【符号の説明】
１　遮蔽装置
１Ａ，１Ｂ，１Ｃ，１Ｄ　辺遮蔽装置
２　全周遮蔽扉装置
３　扉部
３Ａ，３Ｂ，３Ｃ，３Ｄ　辺
４　通路
５　開口部
６　溝部
７　ヒンジ部
８　周縁部
１１，１１１　辺遮蔽プレート
１２，１１２，２１２　突出収納機構
１４，１１４　連動機構
１５，１１５　角遮蔽プレート
１６，１１６　突出装置
１７　収納装置
１８，１１８　付勢力蓄積機構
【図１】
2004131929.tif 000003
【図２】
2004131929.tif 000004
【図３】
2004131929.tif 000005
【図４】
2004131929.tif 000006
【図５】
2004131929.tif 000007
【図６】
2004131929.tif 000008
【図７】
2004131929.tif 000009
【図８】
2004131929.tif 000010
【図９】
2004131929.tif 000011
【図１０】
2004131929.tif 000012
【図１１】
2004131929.tif 000013
【図１２】
2004131929.tif 000014
【図１３】
2004131929.tif 000015
【図１４】
2004131929.tif 000016
【図１５】
2004131929.tif 000017